(57)【特許請求の範囲】
【請求項１】
音声などのリアルタイム性を要求されるリアルタイム性データとＬＡＮなどの遅延が許容される非リアルタイム性データとを伝送するマルチメディア通信方法において、送信側アダプタで前記リアルタイム性データと前記非リアルタイム性データとを入力し、前記リアルタイム性データと前記非リアルタイム性データとを統計多重効果を利用して動的に割り付けられた帯域に多重して第１フレームに変換する工程と、前記送信側アダプタから前記第１フレームを第１通信網を介して送信側ノードに送出する工程と、前記送信側ノードのアダプタインタフェース手段で前記第１フレームを受信し、該第１フレームから前記リアルタイム性データと前記非リアルタイム性データとを分離してそれぞれを交換するための第２フレームに組み立る工程と、前記送信側ノードのデータスイッチ手段で前記第２フレームを交換する工程と、前記送信側ノードの第２通信網インタフェース手段で前記第２フレームの交換後に該第２フレームを分解、組み立てして第３フレームを作成する工程と、前記送信側ノードから前記第３フレームを第２通信網を介して受信側ノードに送出する工程と、前記受信側ノードの第２通信網インタフェース手段で前記送出された第３フレームを受信して前記第２フレームに組み立て直す工程と、前記受信側ノードのデータスイッチ手段で前記第２フレームを交換する工程と、前記送信側ノードのアダプタインタフェース手段で前記第２フレームの交換後に該第２フレームを前記第１フレームに組み立て直す工程と、前記受信側ノードから前記第１フレームを前記第１通信網を介して受信側アダプタに送出する工程と、前記受信側アダプタで前記送出された第１フレームを前記リアルタイム性データと前記非リアルタイム性データとに分解する工程とを含むことを特徴とするマルチメディア通信方法。
【請求項２】
複数種別のネットワークに接続する通信装置において、
第１種別のデータと、前記第１種別とは異なる第２種別のデータとが多重された第１通信フレームを受信する受信手段と、
前記受信手段により受信した第１通信フレームに付加され、各種別のデータの通信状況を示す情報に基づいて、前記第１通信フレームに含まれるデータの種別毎の第２通信フレームを生成する第１の生成手段と、
前記第１の生成手段により生成した前記第２通信フレームを交換する交換手段と、
前記交換手段により交換された前記第２通信フレームに含まれるデータの出力先のネットワークに応じて、前記第２通信フレームのデータを含む第３通信フレームを生成する第２の生成手段と、
を有することを特徴とする通信装置。
【請求項３】
前記情報は、通信データの有無を示す情報であることを特徴とする請求項２記載の通信装置。
【請求項４】
前記情報は、前記第１種別のデータの数を示す情報であることを特徴とする請求項２記載の通信装置。
【発明の詳細な説明】
【０００１】
【発明の属する技術分野】
本発明は、音声などのリアルタイム性を要求されるリアルタイム性データとＬＡＮなどの遅延が許容される非リアルタイム性データとを伝送するマルチメディア通信方法、および複数のネットワークに接続する通信装置に関する。
【０００２】
【従来の技術】
一般に、マルチメディア通信システムにおいては、音声などを束ねたＰＢＸ（構内交換機）におけるリアルタイム性のデータとＬＡＮ（ローカルエリアネットワーク）などにおけるある程度の遅延が許容される非リアルタイム性のデータとを時分割多重化（ＴＤＭ）などの方式で伝送する方法が用いられている。また、最近では、統計多重効果を利用して動的に帯域を割り付けてデータの伝送を行うものが出現している。
【０００３】
このようなマルチメディア通信システムにおいて、ＬＡＮなどの構内網間を接続する場合は、専用線網、フレームリレー網などのサービスを利用し、電話を頻繁にまた多くの回線を利用するユーザは、アナログ専用線などを利用してＶＡＮ事業者と接続し、ＶＰＮ（バーチャルプライベートネットワーク）などを利用して電話料金を安くする方法を採用している。
【０００４】
【発明が解決しようとする課題】
しかし、上述の従来のマルチメディア通信システムに用いられているＴＤＭ方式では、非使用時でも使用される伝送帯域を確保しているから、該伝送帯域を他で使用することができず、またデータの転送を１対１で行うから、同時に多地点間を接続してデータの転送を行うことができない。
【０００５】
また、統計多重効果を利用して動的に帯域を割り付けてデータの伝送を行うシステムにおいては、データの多重方式が独自のものであるから、本質的には、前者のＴＤＭ方式を用いる場合と同様に、データの転送を１対１で行い、同時に多地点間を接続してデータの転送を行うことができず、また公衆網への接続を行うこともできない。
【０００６】
さらに、ＬＡＮなどの構内網間を接続する場合には、専用線網、フレームリレー網などのサービスを利用するから、音声の利用を同時に行うことができない。
【０００７】
本発明は、複数のネットワーク間で多重化されたデータを交換する場合に、データ種別に応じた交換を行うことで、たとえば、同時に多地点間接続を行うことができるとともに、非リアルタイム性データの伝送と同時にリアルタイム性データをそのリアルタイム性を維持しながら伝送することができるようにすることを目的とする。
【０００８】
【課題を解決するための手段】
本発明は、音声などのリアルタイム性を要求されるリアルタイム性データとＬＡＮなどの遅延が許容される非リアルタイム性データとを伝送するマルチメディア通信方法において、送信側アダプタで前記リアルタイム性データと前記非リアルタイム性データとを入力し、前記リアルタイム性データと前記非リアルタイム性データとを統計多重効果を利用して動的に割り付けられた帯域に多重して第１フレームに変換する工程と、前記送信側アダプタから前記第１フレームを第１通信網を介して送信側ノードに送出する工程と、前記送信側ノードのアダプタインタフェース手段で前記第１フレームを受信し、該第１フレームから前記リアルタイム性データと前記非リアルタイム性データとを分離してそれぞれを交換するための第２フレームに組み立る工程と、前記送信側ノードのデータスイッチ手段で前記第２フレームを交換する工程と、前記送信側ノードの第２通信網インタフェース手段で前記第２フレームの交換後に該第２フレームを分解、組み立てして第３フレームを作成する工程と、前記送信側ノードから前記第３フレームを第２通信網を介して受信側ノードに送出する工程と、前記受信側ノードの第２通信網インタフェース手段で前記送出された第３フレームを受信して前記第２フレームに組み立て直す工程と、前記受信側ノードのデータスイッチ手段で前記第２フレームを交換する工程と、前記送信側ノードのアダプタインタフェース手段で前記第２フレームの交換後に該第２フレームを前記第１フレームに組み立て直す工程と、前記受信側ノードから前記第１フレームを前記第１通信網を介して受信側アダプタに送出する工程と、前記受信側アダプタで前記送出された第１フレームを前記リアルタイム性データと前記非リアルタイム性データとに分解する工程とを含むことを特徴とするマルチメディア通信方法を提供する。
【０００９】
また、複数種別のネットワークに接続する通信装置において、第１種別のデータと、前記第１種別とは異なる第２種別のデータとが多重された第１通信フレームを受信する受信手段と、前記受信手段により受信した第１通信フレームに付加され、各種別のデータの通信状況を示す情報に基づいて、前記第１通信フレームに含まれるデータの種別毎の第２通信フレームを生成する第１の生成手段と、前記第１の生成手段により生成した前記第２通信フレームを交換する交換手段と、前記交換手段により交換された前記第２通信フレームに含まれるデータの出力先のネットワークに応じて、前記第２通信フレームのデータを含む第３通信フレームを生成する第２の生成手段と、を有することを特徴とする通信装置を提供する。
【００１９】
【発明の実施の形態】
以下に、本発明の実施の形態について図を参照しながら説明する。
【００２０】
図１は本発明のマルチメディア通信システムの実施の一形態の構成を示すブロック図、図２は図１のマルチメディア通信システムのアダプタの構成を示すブロック図、図３は図１のマルチメディア通信システムのノードの構成を示すブロック図である。
【００２１】
リアルタイム性を要求される電話からの音声データとある程度の遅延が許容される非リアルタイム性のＬＡＮデータとを伝送するマルチメディア通信システムは、図１に示すように、複数の電話機を接続するとともにイーサネットなどのＬＡＮ端末を接続する複数のアダプタ１と、一般電話網として使用されている公衆網５を接続するとともに、音声データ、ＬＡＮデータを含む各種データをその行き先に応じて交換するための複数のノード２とを備え、各アダプタ１は専用線網３を介して対応するノード２に接続され、各ノード２間はセルリレー網４を介して接続されている。セルリレー網４は、ＡＴＭ（非同期通信モード）セルをＴＴＣ標準のＪＴ−Ｇ７０３−ａで定義された専用線二次群速度フレームを用いて転送する。
【００２２】
各アダプタ１は、接続された各電話機からの音声データとＬＡＮ端末からのＬＡＮデータとを統計多重効果を利用して動的に割り付けられた帯域に多重して第１フレームに変換する機能および該第１フレームを音声データとＬＡＮデータとに分解する機能を有する。第１フレームは、所定期間毎に作成される固定長のデータフレームからなり、該データフレームには、複数の回線からの音声データを示す固定長の音声用データと、可変長のＬＡＮ用データとが含まれている。このＬＡＮ用データは、ＬＡＮデータまたは制御データのいずれか一方から構成される。なお、この第１フレームの詳細については後述する。
【００２３】
具体的には、各アダプタ１は、図２に示すように、各電話機に接続されている複数のポートが設けられている電話回線インタフェース部１１と、ＬＡＮ端末が接続されているＬＡＮインタフェース部１２とを有する。
【００２４】
電話回線インタフェース部１１は、電話機の呼出信号生成に必要な電圧を作る昇圧部、リンガ（呼出信号）発生部、ＤＴＭＦデコーダ部、フック判定部などの各電話回線に対する様々なインタフェースを司るための回路を有するとともに、該回路の中には、各電話機からの音声データおよび該音声データの圧縮符号化データを入出力し、入力された音声データを圧縮符号化して圧縮符号化データを生成するとともに入力された圧縮符号化データを復号して音声データを生成するＣＯＤＥＣ（符号化／復号）回路が含まれている。この回路により復号された音声データは対応する電話機に送出される。なお、本実施の形態では、ＣＯＤＥＣ回路において、１６ＫｂｐｓのＡＤＰＣＭ（適応差分パルス符号変調）、８ＫｂｐｓのＣＳ−ＡＣＥＬＰ（共役構造−代数的符号励振線形予測符号化法）の圧縮符号化／復号を行う。また、圧縮符号化時には、無音制御により無音期間中音声の圧縮符号化データを出力しない。
【００２５】
ＬＡＮインタフェース部１２では、ＬＡＮデータを入出力し、入力されたＬＡＮデータからＩＥＥＥ８０２．３のフレームを検出してＭＡＣアドレス学習によるブリッジ機能によりＭＡＣアドレスなどをチェックし、このチェック結果に応じてデータの送出を制御する。
【００２６】
電話回線インタフェース部１１からの圧縮符号化データおよびＬＡＮインタフェース部１２からのＬＡＮデータは、フレーム組立／分解部１３に送出される。フレーム組立／分解部１３は、入力された圧縮符号化データおよびＬＡＮデータとともにアダプタ１の制御データを動的に割り付けられた帯域に多重して第１フレームを生成し、該第１フレームをアダプタ制御部１４に出力する。また、アダプタ制御部１４から第１フレームが入力されると、入力された第１フレームは圧縮符号化データとＬＡＮデータとに分解されて電話回線インタフェース部１１およびＬＡＮインタフェース部１２に出力される。
【００２７】
アダプタ制御部１４はＣＰＵ（図示せず）を有し、ＣＰＵはＲＯＭ（図示せず）に格納されているプログラムを読み出し、実行することによってアダプタ１全体の制御を行う。この制御には、フレーム組立／分解部１３からの第１フレームを専用線インタフェース部１５を介して専用線網３に送信するとともに専用線網３から伝送された第１フレームを専用線インタフェース部１５を介して受信するための送受信制御と、電話回線インタフェース部１１の管理、ＬＡＮインタフェース部１２、フレーム組立分解部１３の制御および電源回路１６からの各ブロックへの電源供給制御とが含まれている。
【００２８】
専用線インタフェース部１５は、ターミナルアダプタとしての機能を有し、専用線インタフェース部１５は専用線網３側に設けられているＤＳＵ（データサービスユニット）を介して専用線網３に接続されている。
【００２９】
各ノード２は、専用線網３を介して入力した第１フレームから音声用データとＬＡＮ用データとを分離してそれぞれを交換するための第２フレームに組み立てる第２フレーム組立機能、該第２フレームを分解、組み立てして第３フレームを作成する第３フレーム作成機能、該第３フレームから第２フレームへの再組立てを行う第２フレーム再組立機能および該第２フレーム再組立機能によって組み立てられた第２フレームから第１フレームへの再組立てを行う第１フレーム再組立機能を有する。なお、この第２フレームおよび第３フレームの詳細については後述する。
【００３０】
具体的には、各ノード２は、図３に示すように、専用線網３に接続され、第２フレーム組立機能および第１フレーム再組立機能を実行する複数のアダプタインタフェース部２１（ＡＤ１，…，ＡＤｎ）と、第２フレームを交換するデータスイッチ部（ＤＳ）２２と、第３フレーム作成機能および第２フレーム再組立機能を実行するセルリレー網インタフェース部２３と、複数の電話回線と公衆網５とを接続するための公衆網インタフェース部２４と、ノード２全体の制御を行うとともに、各ブロックの制御、データスイッチ部２２の監視、ネットワーク管理などを行う制御部２５とを有する。各アダプタインタフェース部２１、データスイッチ部２２と、セルリレー網インタフェース部２３、公衆網インタフェース部２４、制御部２５の各ブロックには、ノード２内において一義的に決定されている固有のメディア番号が付与され、このメディア番号は、データの交換時に利用される。
【００３１】
各アダプタインタフェース部２１では、専用線網３から入力された第１フレームに含まれる音声用データとＬＡＮ用データとを分離し、音声用データの第２フレームおよびＬＡＮ用データの第２のフレームを作成する。第２フレームのそれぞれはデータスイッチ部（ＤＳ）２２に送出される。逆に、後述するデータスイッチ部（ＤＳ）２２から第２フレームが入力されると、該第２フレームから音声用データまたはＬＡＮ用データが取り出され、音声用データまたはＬＡＮ用データを含む第１フレームが組み立てられて専用線網３へ送出される。
【００３２】
データスイッチ部２２はシリアルクロスバースイッチなどから構成されている。このデータスイッチ部２２では、独自タグに相当するアドレスなどを付加しこのアドレス値に応じてスイッチ動作を行い、該スイッチ動作により、音声データ用、ＬＡＮデータ用として入力された第２フレームを交換する。すなわち、上記スイッチ動作を所定のフレームフォーマットに従って実行することによって、音声データ用の第２フレームの交換、ＬＡＮデータおよび制御データを含むＬＡＮデータ用の第２フレームの交換とが行われる。
【００３３】
セルリレー網インタフェース部２３では、データスイッチ部２２から入力された第２フレームをＡＴＭセル化して第３フレームを作成し、この第３フレームをセルリレー網４へ送出する。また逆に、セルリレー網４から第３フレームを受け取ると、該第３フレームからＡＴＭセルが取り出され、該ＡＴＭセルは第２フレームに変換されてデータスイッチ部２２へ送出される。
【００３４】
公衆網インタフェース部２４は、セルリレー網インタフェース部２３と異なり、データスイッチ部２２との間で音声信号、制御信号などの交換を行う他に、複数の回線を公衆網５と接続するためのＰＢＸ（構内交換機）を備える。よって、公衆網インタフェース部２４とアダプタインタフェース部２１とが同時に複数の呼接続を行うように制御する場合がある。
【００３５】
次に、本マルチメディア通信システムにおいてアダプタ１とノード２との間で専用線網３を介して転送される第１フレームに関する処理手順および第１フレームのフォーマットについて図１ないし図３に加えて図４ないし図１１を参照しながら説明する。図４は図１のマルチメディア通信システムのアダプタとノードの間で専用線網を介して転送される第１フレームのフォーマットを示す図、図５は図４の第１フレームのＩＤフォーマットを示す図、図６は図４の第１フレームの音声フレームのフォーマットを示す図、図７は図６の音声フレームのＶＣＢのフォーマットを示す図、図８は図４の第１フレームのＬＤ／ＣＤフレームのフォーマットを示す図、図９は図８のＬＤ／ＣＤフレームのＬＣＢのフォーマットを示す図、図１０は図９のＬＣＢにおける“ＰＲＩ”および“ＳＴＰ”ビットの使用例を示す図、図１１は図１のマルチメディア通信システムにおける第１フレームのデータ構成例を示す図である。なお、ここでは、１６ＫｂｐｓのＡＤＰＣＭにより音声データを圧縮符号化／復号する場合を例に説明する。
【００３６】
この１６ＫｂｐｓのＡＤＰＣＭにより音声データを圧縮符号化／復号する場合においては、第１フレームの周期が４ｍｓであり、専用線網３の転送速度が６４Ｋｂｐｓであると、第１フレームの長さは、その周期４ｍｓに対し３２バイト（Ｂ）になり、また、この周期では、音声の符号化データが１回線（チャンネル）当り８バイト発生する。また、専用線網３とアダプタ１とが６４Ｋｂｐｓの転送速度で接続されると、帯域（バンド幅）の関係から第１フレームは２チャンネルの音声データとＬＡＮまたは制御データとなどで構成される。
【００３７】
具体的には、第１フレームは、図４に示すように、先頭に位置し、同期情報を示す固定長の同期バイトＳＹＮ（以下、ＳＹＮバイトいう）と、このＳＹＮバイトに続き該第１フレームのデータブロックの構成情報を示すブロック構成バイトＩＤ（以下、ＩＤバイトいう）と、このＩＤバイトに続き複数の回線からの音声データを示す固定長の音声フレームＶＤ１，…，ＶＤｎと、この音声フレームに続く可変長のＬＡＮ用データＬＤ／ＣＤ（ＬＡＮデータ／制御データ）とからなる。
【００３８】
ＳＹＮバイトは１バイトのデータ長を有し、例えばＨＤＬＣ（ハイレベルデータリンクコントロール）などで定義されると、“０１１１１１１０”の８ビットで構成される。アダプタ１とノード２のアダプタインタフェース部２１との間で第１フレームの伝送が開始されると、ＳＹＮバイトの検出が行われ、このＳＹＮバイトの検出によって同期確立動作が行われ、ＳＹＮバイトの検出、同期確立動作を繰り返すことによって第１フレームの伝送における同期が維持される。
【００３９】
ＩＤバイトは、１バイトのデータ長を有し、第１フレームが音声フレームとＬＡＮ用データとを多重化した通常フレームであるかヘルスチェックなどに使用されるテストフレームであるかを識別するためのフレーム識別データと、第１フレーム内に存在する音声チャンネルの数（回線数）を示すデータと、ＬＡＮ用データＬＤ／ＣＤの有無を示すデータとをそれぞれ示すビットから構成される。
【００４０】
詳細には、図５に示すように、先頭にフレーム識別データを示すビットＫＮＤが設けられ、このＫＮＤビットが「０」であるときには、第１フレームが通常フレームとして使用されていることを示し、このＫＮＤビットが「１」であるときには、第１フレームがテストフレームとして使用されていることを示す。すなわちアダプタ１などでヘルスチェックが行われるときには、テストフレームとして第１フレームと同じフォーマット形式のフレームが用いられることになる。
【００４１】
このＫＮＤビットに続くＬＩビットはＬＡＮ用データＬＤ／ＣＤの有無を示すビットであり、ＫＮＤビットが「０」であるときに有効ビットとされる。このＬＩビットが「１」であるときには、ＬＡＮ用データＬＤ／ＣＤが所定領域に存在することを示し、ＬＩビットが「０」であるときには、ＬＡＮ用データＬＤ／ＣＤが存在しないことを示す。
【００４２】
ＬＩビット続く音声チャンネル数はビットパターンで表され、例えば専用線網３が１．５Ｍｂｐｓの速度で最大３２チャンネルの音声フレームを転送可能な場合、第１フレームに存在する音声フレームのチャンネル数は５ビットあれば表現可能である。本実施の形態では、専用線網３が６４Ｋｂｐｓの転送速度で最大２チャンネルの音声フレームを転送を行うから、第１フレームに存在する音声フレームのチャンネル数は１ビットで表現されることになる。
【００４３】
次に、ＩＤバイトに続く音声フレームについて説明する。
【００４４】
各音声フレームＶＤ１，…，ＶＤｎは、図６に示すように、先頭に位置し、音声データの圧縮形式を識別するためのデータを示す１バイトのＶＣＢ（ボイスコントロールバイト）と、上述した１６ＫｂｐｓのＡＤＰＣＭにより４ｍｓの周期で生成される８バイトの音声データブロック（圧縮符号化データ）ＶＤＢとから構成され、各音声フレームのデータ長は９バイトである。各音声フレームは、呼接続後に無音期間が発生した場合には転送されないから、４ｍｓ周期で音声フレームの領域は変化することになる。なお、本実施の形態では、音声チャンネル数が最大「２」であるから、第１フレームに存在する音声フレーム数ｎは「２」となる。また、専用線網３が１２８Ｋｂｐｓの転送速度を有するときには、帯域の利用関係上最大４チャンネルの音声フレームが転送可能となる。さらに、ＶＤＢは８バイトのデータであるが、このデータ長はＣＯＤＥＣの形式に応じて変り、例えば８ＫｂｐｓのＣＥ−ＡＣＥＬＰを利用するときには、ＶＤＢは４バイトとなる。
【００４５】
ＶＣＢは、図７に示すように、先頭にＣＯＤＥＣの形式を識別するためのビットパターンＣＭＰと、アダプタ１に接続されている各電話回線を特定するための音声チャンネル番号とに割り当てられている。本実施の形態では、ＣＯＤＥＣの形式として１６ＫｂｐｓのＡＤＰＣＭ、８ＫｂｐｓのＣＥ−ＡＣＥＬＰの２形式が用いられているから、ＣＭＰは１ビットで表現される。
【００４６】
次に、ＬＡＮ用又は制御用データＬＤ／ＣＤについて説明する。
【００４７】
ＬＡＮ用又は制御用データＬＤ／ＣＤは、音声データのようにリアルタイム性が要求されるデータとは異なり、ある程度の遅延が許容されるデータであるから、第１フレームの転送周期である４ｍｓに依存せずに転送される。具体的には、ＬＡＮ用又は制御用データＬＤ／ＣＤは、必要に応じて所定のデータ長に分割され、１つまたは複数に分割されたデータは、順次発生する第１フレームに重畳して転送されることになる。例えば、２つのＩＥＥＥ８０２．３のフレーム、または１つのＩＥＥＥ８０２．３のフレームと１つの制御データフレームとの計２つのフレームの転送要求が発生したときには、２つのフレームを複数のデータに分割して第１フレームに重畳して転送する必要があるが、上述したように、各音声フレームの領域が呼接続後に無音期間が発生した場合にまたは呼接続の開放に伴い変化するから、ＬＡＮ用データＬＤ／ＣＤの使用可能領域も変化する。よって、ＬＡＮ用又は制御用データＬＤ／ＣＤには、図８に示すように、分割を制御するための１バイトのＬＣＢ（ＬＡＮ／制御データコントロールバイト）が付加される。
【００４８】
このＬＣＢは、図９に示すように、先頭に位置するＩＮＦビットと、それに続くＰＲＩビットおよびＳＴＰビットと、ＳＴＰビットに続くシーケンスナンバーとから構成されている。ＩＮＦビットは、この領域のデータがユーザのＬＡＮデータかアダプタ１とノード２間の制御データかを識別するためのビットであり、該ビットが「０」であると、ＬＡＮデータを示し、該ビットが「１」であると、制御データを示す。
【００４９】
ＰＲＩビットは、データのプライオリティ（優先度）を示すビットであり、例えばかなり長いデータ長のデータの転送中にシステムの性能上早急に送る別のデータが発生して該データを割り込ませて送る必要がある場合や、電話の呼制御などにおいて遅延に対し性能が劣化する可能性がある場合などに使用される。ＰＲＩビットは、その値が「０」であるときには、優先度が低いことを示し、「１」であるときには、優先度が高いことを示す。ＳＴＰビットは、分割されたデータの最後のブロックを示すビットであり、該ビットが「１」であるときには、分割されたデータの最後のブロックを示し、「０」であるときには、最後のブロック以外のブロックを示す。ＳＴＰビットに続くシーケンスナンバーは、分割したＬＡＮ／ＣＤデータの連続性を監視するためのトグル情報である。
【００５０】
次に、優先度が低いＬＡＮ用又は制御用データＬＤ／ＣＤの転送途中に優先度が高い４サイクル分の制御データを４ｍｓ周期で第１フレームに割り込ませた例を図１０に示す。本図から分かるように、優先度が低いＬＡＮ用データＬＤ／ＣＤの転送中においては、ＰＲＩビットが「０」に、ＳＴＰビットが「０」にそれぞれセットされている（図１０（ａ），（ｂ）を参照）。優先度が高い制御データの割込みが発生すると、割り込んだデータに対するＰＲＩビットは「１」にセットされ（図１０（ｃ），（ｄ），（ｅ），（ｆ）を参照）、そのデータの最後ブロックにおいては、ＰＲＩビットを「１」に保持した状態でＳＴＰビットが「１」にセットされる（図１０（ｆ）を参照）。優先度が高い制御データの割込みが終了すると、優先度が低いＬＡＮ用データＬＤ／ＣＤの転送が再開され、再びＰＲＩビットが「０」に、ＳＴＰビットが「０」にそれぞれセットされる（図１０（ｇ），（ｈ）を参照）。優先度が低いＬＡＮ用データＬＤ／ＣＤの最後のブロックの転送時には、ＰＲＩビットを「０」に保持した状態でＳＴＰビットが「１」にセットされる（図１０（ｉ）を参照）。
【００５１】
このように、アダプタ１とノード２との間では、音声チャンネル数、無音制御によって制御される音声フレームの有無およびＬＡＮ用データＬＤ／ＣＤの有無に応じて第１フレームを４ｍｓ周期でそのデータ構成を変えながら専用線網３を介して転送することになる。例えば、２チャンネルの音声フレームが存在する場合には、図１１（ａ）に示す第１フレームフォーマット例１が使用されることになり、また、１チャンネルの音声フレームのみが存在する場合には、図１１（ｂ）に示す第１フレームフォーマット例２が使用されることになる。音声フレームが存在しない場合には、図１１（ｃ）に示す第１フレームフォーマット例３が使用されることになる。また、各例から音声チャンネル数および音声フレームの有無に応じてＬＡＮ用データＬＤ／ＣＤの転送量が変化し、音声チャンネル数が減少するに従い、または音声フレームが存在しない場合に、ＬＡＮ用データＬＤ／ＣＤの転送量を増加させることが可能であることが分かる。
【００５２】
次に、本マルチメディア通信システムのノード２における第１フレームの受信からセルリレー網４への転送までのシーケンスと、該ノード２内で使用される第２フレームおよび第３フレームのフォーマットについて図１２ないし図２２を参照しながら説明する。図１２は図３のノード内のアダプタインタフェース部の構成を示すブロック図、図１３は図３のノード内のデータスイッチ部で交換される音声パケット（第２フレーム）のフォーマットを示す図、図１４は図３のノード内のデータスイッチ部で交換されるＬＡＮ／ＣＤパケット（第２フレーム）のフォーマットを示す図、図１５は音声パケットおよびＬＡＮ／ＣＤパケットに含まれている端末番号のデータ構成を示す図、図１６は図３のノード内のセルリレー網インタフェース部の構成を示すブロック図、図１７は図１６のセルリレー網インタフェース部で組み立てられるＶＤデータフレームのフォーマットを示す図、図１８は図１７のＶＤデータフレームを束ねたＰＤＵのフォーマットを示す図、図１９は音声用ＡＴＭセルの組立例を示す図、図２０は図１６のセルリレー網インタフェース部で組み立てられるＬＡＮ用データＬＤ／ＣＤフレームのフォーマットを示す図、図２１は図２０のＬＡＮ用データＬＤ／ＣＤフレームを束ねたＰＤＵのフォーマットを示す図、図２２はＬＡＮ用ＡＴＭセルの組立例を示す図である。
【００５３】
まず、ノード２のアダプタインタフェース部２１の構成と受信した第１フレームを交換するための第２フレームへ変換するまでのシーケンスとについて図１４および図１５を参照しながら説明する。
【００５４】
アダプタ１から第１フレームが専用線網３を介して転送されると、第１フレームはノード２の対応するアダプタインタフェース部２１で受信される。アダプタインタフェース部２１においては、図１２に示すように、専用線網インタフェース２１１でデータの取り出しを行い、４ｍｓの周期で第１フレーム（図４に示す）の再生を行う。
【００５５】
この第１フレームはフレーム組立／分解部２１２に送られる。第１フレームには、上述したように、音声フレーム（ＶＤ１，…，ＶＤｎ；図６に示す）とＬＡＮ用又は制御用データＬＤ／ＣＤとが含まれているから、フレーム組立／分解部２１２では第１フレーム内のＩＤバイトに基づき音声フレームとＬＡＮ用又は制御用データＬＤ／ＣＤフレームとに分離する。音声フレームは音声フレーム処理部２１３へ、ＬＡＮデータはＬＡＮデータ処理部２１４へ、制御データは制御データ処理部２１５へそれぞれ送られる。
【００５６】
音声フレーム処理部２１３は、音声フレームを受けとると、該音声フレームの先頭のＶＣＢバイト（図７に示す）を、この中のチャンネル番号を含むデータと上述したノード２内の各ブロックに付されたメディア番号とを含む端末番号に変換し、この端末番号を含む音声パケット（音声データの第２フレーム）を生成する。この音声パケットは、図１３（ａ）に示すように、端末番号と、ＶＤＢ（図６に示す）とから構成される。なお、端末番号の構成については後述する。
【００５７】
ＬＡＮデータ処理部２１４または制御データ処理部２１５では、第１フレームから分離されたＬＡＮデータＬＤまたは制御データＣＤを蓄積し、ＬＣＢバイト（図８に示す）を用いて蓄積した複数のデータを組み立てることによって、ＬＡＮデータＬＤフレーム（ＩＥＥＥ８０２．３フレーム）または制御データＣＤフレームの再生を行う。再生された各フレームには、図１４（ａ）に示すように、端末番号とユーザＩＤとが付加され、ＬＤ／ＣＤパケット（ＬＡＮ用データの第２フレーム）が生成される。このユーザＩＤは、パケットに含まれるデータが制御データである場合、該制御データを使用するシステム管理者を特定するためのＩＤ（識別子）を表し、ＬＡＮデータの場合、ＬＡＮ使用者毎に付与されているＩＤを表す。
【００５８】
音声パケット、ＬＤ／ＣＤパケットに付加されている端末番号は、図１５に示すように、ＤＩビットと、音声チャンネル番号と、上述したノード２の各ブロックに付与されているメディア番号とから構成されている。ＤＩビットは、この端末番号が付加されているパケットが音声パケットであるかＬＤ／ＣＤパケットかを識別するための端末識別情報を示し、音声パケットに対しては「０」がセットされ、ＬＤ／ＣＤパケットに対しては「１」がセットされる。音声チャンネル番号は、図７に示すＶＣＢが表すチャンネル番号と同じであり、ＤＩビットが「１」であるときには、音声チャンネル番号の領域は空きデータ領域となり、データの受信側では無視される。
【００５９】
音声フレーム処理部２１３、ＬＡＮデータ処理部２１４、制御データ処理部２１５でそれぞれ生成された各パケットはＤＳインタフェース部２１６へ送出される。ＤＳインタフェース部２１６は、各パケットをデータスイッチ部２２で交換可能なパケットに変換する。具体的には、音声パケットは、図１３（ｂ）に示すように、先頭にＤＳアドレスが最後尾にＥＯＰ（エンドオブパケット）がそれぞれ付加された音声パケットに変換され、同様に、ＬＤ／ＣＤパケットは、図１４（ｂ）に示すように、先頭にＤＳアドレスが最後尾にＥＯＰがそれぞれ付加されたＬＤ／ＣＤパケットに変換される。ＤＳアドレスは、データスイッチ部２２でのパケットの交換に必要な交換先を示すアドレスであり、ＥＯＰは、パケットの終了の識別とパケットに対するブロックチェックのＣＲＣを兼ねるビットである。
【００６０】
ＤＳインタフェース部２１６は、音声フレーム処理部２１３、ＬＡＮデータ処理部２１４、制御データ処理部２１５からの各パケットをデータスイッチ部２２で交換可能なパケットに変換した後にデータスイッチ部２２に送出する。音声パケットの入力、変換、送出までの処理は、４ｍｓの周期以内の期間で実行され、ＬＡＮ／ＣＤパケットの入力、変換、送出までの処理は音声パケットの処理の合間を利用して行われる。
【００６１】
このＤＳインタフェース部２１６の各パケットの処理に対する制御を含む各ブロックに対する制御および管理はＤＳ制御部２１７で行われる。ＤＳ制御部２１７は、必要に応じてアダプタインタフェース部２１の制御に使用するデータの交換を他の制御部と行う。
【００６２】
データスイッチ部２２は、ＤＳインタフェース部２１６からのパケットを受け取ると、該パケットに付加されているＤＳアドレスに基づき交換先すなわち宛先に該パケットを送出するようにスイッチ動作を行う。パケットを受け取った相手先では、ＤＳアドレスを必要としないから、該ＤＳアドレスを削除する。このように、ＤＳアドレスは過渡的に有効な値として使用されることになる。
【００６３】
パケットの交換としては、同じノード２内のアダプタインタフェース部２１の１つから他のアダプタインタフェース部２１へ、同じノード２内のアダプタインタフェース部２１の１つからセルリレー網インタフェース部２３へ、同じノード２内のアダプタインタフェース部２１の１つから公衆網インタフェース部２４への交換があり、また逆に、セルリレー網インタフェース部２３からアダプタインタフェース部２１の１つへ、公衆網インタフェース部２４へアダプタインタフェース部２１の１つへの交換がある。
【００６４】
例えば、パケットを同じノード２内のアダプタインタフェース部２１の１つからデータスイッチ部２２を介して他のアダプタインタフェース部２１へ送る場合、該パケットを受けとる側のアダプタインタフェース部２１では、パケットをデータスイッチ部２２に送出するときに行う処理と逆の処理を実行することになる。アダプタインタフェース部２１が音声パケットを受け取る場合、アダプタインタフェース部２１では、端末番号を予め準備されているテーブルなどを利用して図６に示すＶＣＢバイトに逆変換し、図１３（ａ）に示す音声パケットを作成する。この音声パケットは第１フレームに変換された後に専用線網３を介して対応するアダプタ１に送出され、アダプタ１は対応するチャンネルに呼接続し、音声データを復号化して送出する。ＬＤ／ＣＤパケットを受け取る場合には、アダプタインタフェース部２１では、ユーザＩＤおよび端末番号を確認後にＬＤ／ＣＤパケットを第１フレームに組み立て、対応するアダプタ１に送出する。アダプタ１は、第１フレームに含まれているデータがＬＡＮデータＬＤであるときには、該データをＩＥＥＥ８０２．３フレームに再生し、イーサネットインタフェースを介して相手先に送出し、第１フレームに含まれているデータが制御データＣＤであるときには、該データに従い内部制御を実行する。
【００６５】
また、パケットをアダプタインタフェース部２１の１つからデータスイッチ部２２を介して公衆網インタフェース部２４へ送る場合、公衆網インタフェース部２４は、該パケットに付加された端末番号から公衆網５に接続されている相手先ポートをテーブルなどを利用して確認し、音声データブロックＶＤＢを復号し、復号された音声データをＰＢＸを経由して公衆網５に送出する。
【００６６】
次に、アダプタインタフェース部２１の１つからデータスイッチ部２を介して送れたパケットに対するセルリレー網インタフェース部２３の処理について図１６ないし図２２を参照しながら説明する。
【００６７】
アダプタインタフェース部２１からデータスイッチ部２２を介してパケットがセルリレー網インタフェース部２３に送られると、図１６に示すように、該パケットはＤＳインタフェース部２３１に取り込まれる。ＤＳインタフェース部２３１は、音声パケットを取り込むと、ＤＳアドレスを削除した後に音声パケットをＶＤＦ処理部２３２に送出し、ＬＤ／ＣＤパケットを取り込むと、ＤＳアドレスを削除した後にＬＡＮパケットをＬＤＦ処理部２３３へ、制御パケットをＣＤＦ処理部２３４へそれぞれ送出する。
【００６８】
ＶＤＦ処理部２３２，ＬＤＦ処理部２３３およびＣＤＦ処理部２３４の各処理部は、受け取ったパケットのデータをセルリレー網４へ送り出すためのＡＴＭセル化処理を行う。このＡＴＭセル化処理ではこれらのデータを束ねてセルリレー網４へ送り出すから、極力制御用データ量を最小限に抑えることが要求され、この要求に対応するように上記各処理部において処理が行われる。
【００６９】
具体的には、ＶＤＦ処理部２３２は、受け取った音声パケット（図１３（ａ）に示す）に含まれる端末番号を予め準備されているテーブルを用いて１バイトのコネクション番号（ＣＮ）に変換し、先頭にこのコネクション番号を付加したＶＤデータフレームを作成する。上記端末番号はノード２内のデータスイッチ部２２のスイッチング制御において必要な情報であるが、さらに限られたサービス速度以下で使用されるセルリレー網４に対しては、呼接続後に付加する情報を最小限の情報にする必要があるから、上述したコネクション番号への変換を行う。また、上記テーブルは端末番号とコネクション番号とを対応付けたテーブルであり、該テーブルはノード間において、呼接続時に予め作成され使用される。
【００７０】
ＶＤデータフレームは、図１７に示すように、コネクション番号（ＣＮ）と、それに続くＶＤＢとから構成される。上述したように、１つの呼接続における音声パケットは４ｍｓの周期で送られてくるから、ＶＤデータフレームをこの周期間隔で作成処理するための制御が実行される。次いで、ＶＤデータフレームは一定周期で蓄積され、蓄積された複数のＶＤデータフレームは束ねられて通信プロトコル上のデータブロック単位であるＰＤＵ（プロトコルデータユニット）に変換される。このＶＤデータフレームを束ねたＰＤＵは、図１８に示すように、複数のＶＤフレームと、ＰＤＵのデータ長を調整するためのトレーラとから構成されている。このＰＤＵのデータ長は、ＡＴＭセルのペイロード領域長である４８バイトの整数倍に設定され、トレーラはＰＤＵのデータ長が４８バイトの整数倍になるようにＰＤＵの最後尾に付加される。
【００７１】
ＶＤデータフレームを束ねたＰＤＵはＡＴＭインタフェース部２３５に送出される。ＡＴＭインタフェース部２３５は、ＶＤデータフレームを束ねたＰＤＵを４８バイトのペイロードに分割して標準規定されているＡＴＭセルを作成する。具体的には、図１９に示すように、ＶＤデータフレームを束ねたＰＤＵは複数の４８バイトのペイロードに分割され、各分割されたペイロードには、予め規定された値が入れられている５バイトのヘッダが付加される。ヘッダが付加された各分割されたペイロードは音声用ＡＴＭセル（第３フレーム）としてセルリレー網４へ送出される。
【００７２】
ＬＤＦ処理部２３３またはＣＤＦ処理部２３４では、図１４（ａ）に示すＬＤ／ＣＤパケットを受け取ると、該パケットの端末番号がセルリレー網４において不要となるから、該パケットをユーザＩＤとＬＡＮデータＬＤフレーム（ＩＥＥＥ８０２．３フレーム）または制御データＣＤフレームとを単位とするＬＡＮ用データＬＤ／ＣＤフレームに変換する。具体的には、図２０に示すように、このＬＡＮ用データＬＤ／ＣＤフレームは、先頭のユーザＩＤ（ＵＩ）とそれに続くＬＡＮデータＬＤフレーム（ＩＥＥＥ８０２．３フレーム）／制御データＣＤフレーム（Ｌ／ＣＦ）とから構成されている。このＬＡＮ用データＬＤ／ＣＤフレームは一定の周期で蓄積され、蓄積された複数のフレームは束ねられてＰＤＵに変換される。このＰＤＵは、図２１に示すように、ＶＤデータフレームを束ねたＰＤＵと同様に、複数のＬＡＮ用データＬＤ／ＣＤと、ＰＤＵのデータ長を調整するためのトレーラとから構成され、このＰＤＵのデータ長は、トレーラによりＡＴＭセルのペイロード領域長である４８バイトの整数倍に調整される。
【００７３】
ＬＡＮ用データＬＤ／ＣＤフレームを束ねたＰＤＵはＡＴＭインタフェース部２３５に送出され、ＡＴＭインタフェース部２３５は、ＬＡＮ用データＬＤ／ＣＤフレームを束ねたＰＤＵを４８バイトのペイロードに分割して標準規定されているＡＴＭセルを作成する。具体的には、図２２に示すように、ＬＡＮ用データＬＤ／ＣＤフレームを束ねたＰＤＵは複数の４８バイトのペイロードに分割され、各分割されたペイロードには、予め規定された値が入れられている５バイトのヘッダが付加される。ヘッダが付加された各分割されたペイロードはＬＡＮ用ＡＴＭセル（第３フレーム）としてセルリレー網４へ送出される。
【００７４】
このように、ＬＡＮ用ＡＴＭセルの送信は、音声用ＡＴＭセルの送受をリアルタイムに行いながら行われ、音声データのリアルタイム性が維持される。
【００７５】
また、セルリレー網４を介して送られたＡＴＭセルを相手先のノード２が受け取ると、該ノード２では、上述したＡＴＭセル送信と逆の処理によって、受け取ったＡＴＭセルを対応する音声フレームまたはＬＡＮ用データフレームに変換して第１フレームを組み立て、該第１フレームを対応するアダプタ１などに転送する。
【００７６】
以上より、本実施の形態の通信システムでは、送信側のアダプタ１で、接続された各電話機からの音声データとＬＡＮ端末からのＬＡＮデータとを統計多重効果を利用して動的に割り付けられた帯域に多重して第１フレームに変換し、該第１フレームを専用線網３を介してノードに転送する。ノード２では、入力した第１フレームから音声用データとＬＡＮ用データとを分離してそれぞれを音声パケットまたはＬＤ／ＣＤパケット（第２フレーム）に組立、音声パケット、ＬＤ／ＣＤパケットの各パケットの交換後に該パケットを分解、組み立てして音声用データまたはＬＡＮ用データのＡＴＭセル（第３フレーム）を作成し、該ＡＴＭセルを相手先のノード２へセルリレー網４を介して伝送する。セルリレー網４を介して送られたＡＴＭセルを相手先のノード２が受け取ると、該ノード２では、上述したＡＴＭセル送信と逆の処理によって、受け取ったＡＴＭセルを対応する音声フレームまたはＬＡＮ用データフレームに変換して第１フレームを組み立て、該第１フレームを対応するアダプタ１などに転送する。よって、同時に多地点間接続をしてデータの伝送を行うことができる。また公衆網５への接続を行うことができるとともに、ＬＡＮ間のデータ伝送時に音声の利用をリアルタイム性を維持しながら同時に行うことができる。
【００７７】
以上説明したように上記実施例によれば、リアルタイム性データと非リアルタイム性データとを統計多重効果を利用して動的に割り付けられた帯域に多重して第１フレームに変換する第１フレーム変換機能および該第１フレームをリアルタイム性データと非リアルタイム性データとに分解する第１フレーム分解機能を有する複数のアダプタと、第１フレームからリアルタイム性データと非リアルタイム性データとを分離してそれぞれを交換するための第２フレームに組み立てる第２フレーム組立機能、該第２フレームを分解、組み立てして第３フレームを作成する第３フレーム作成機能、該第３フレームから第２フレームへの再組立てを行う第２フレーム再組立機能および該第２フレーム再組立機能によって組み立てられた第２フレームから第１フレームへの再組立てを行う第１フレーム再組立機能を有する複数のノードと、各アダプタとそれぞれに対応するノード間を接続して第１フレームを伝送する第１通信網と、ノード間を接続して第３フレームを伝送する第２通信網とを備え、アダプタの１つから対応するノードへ第１通信網を介して第１フレームが伝送されると、対応するノードで、第２フレーム組立機能により伝送された第１フレームを第２フレームに組み立て、該第２フレームの交換後に第３フレーム作成機能により第３フレームを作成し、該第３フレームを第２通信網を介して送信先となるノードに伝送し、該送信先となるノードで、第２フレーム再組立機能により伝送された第３フレームを第２フレームに組み立て直し、該第２フレームの交換後に第１フレーム再組立機能により第２フレームを第１フレームに組み立て直し、該第１フレームを第１通信網を介して送信先となるアダプタに伝送し、該送信先となるアダプタで第１フレーム分解機能により伝送された第１フレームをリアルタイム性データと非リアルタイム性データとに分解するから、同時に多地点間接続を行うことができるとともに、非リアルタイム性データの伝送と同時にリアルタイム性データをそのリアルタイム性を維持しながら伝送することができる。
【００７８】
また、各アダプタを、リアルタイム性データを成す電話の音声データおよび該音声データの圧縮符号化データを入出力し、入力された音声データを圧縮符号化して圧縮符号化データを生成、出力するとともに入力された圧縮符号化データを復号して音声データを生成、出力する電話回線インタフェース手段と、非リアルタイム性データを成すＬＡＮデータを入出力し、入力されたＬＡＮデータに基づきブリッジ機能を実行するか否かを判定するＬＡＮインタフェース手段と、圧縮符号化データ、ＬＡＮデータおよび第１フレームを入出力し、第１フレーム変換機能によって入力された圧縮符号化データとＬＡＮデータとを第１フレームに変換して出力するとともに第１フレーム分解機能によって入力された第１フレームを圧縮符号化データとＬＡＮデータとに分解して出力する組立分解手段と、該分解組立手段からの第１フレームを第１通信網に送信するとともに該第１通信網から伝送された第１フレームを受信する第１通信網インタフェース手段とを設けた構成にすることができる。
【００７９】
また、第１フレームを、所定期間毎に作成される固定長のデータフレームとし、該データフレームを、同期情報を示す固定長の同期データと、該フレームのデータブロックの構成情報を示すブロック構成データと、複数の回線からの音声データを示す固定長の音声用データと、可変長のＬＡＮ用データとから構成し、ブロック構成データが、該データフレームが音声用データとＬＡＮ用データとを多重化したフレームであるかヘルスチェックなどに使用されるテストフレームであるかを識別するための識別データおよび音声用データの回線数を示す回線数データを含み、音声用データが、音声データの圧縮形式を識別するための識別データ、回線を特定するチャンネル番号データおよび音声データの圧縮符号化データを含み、ＬＡＮ用データが、ＬＡＮデータおよび制御データのいずれか一方から構成され、ＬＡＮデータと制御データとを識別するための識別データ、データ送信のための優先度を示すデータ、ＬＡＮデータと制御データとのそれぞれが複数の第１フレームに分割されることに伴う分割したデータの連続性とそのデータの最後のフレームを識別するためのデータと含むから、ノードにおいて、第１フレームから音声データとＬＡＮ用データとを分離するための処理が容易になる。
【００８０】
また、各ノードを、第２フレーム組立機能および第１フレーム再組立機能を実行するアダプタインタフェース手段と、第２フレームを交換するデータスイッチ（ＤＳ）手段と、第３フレーム作成機能および第２フレーム再組立機能を実行する第２通信網インタフェース手段とを設けた構成にすることができる。
【００８１】
また、第２フレームが、音声用データの第２フレームとＬＡＮ用データの第２フレームとからなり、音声用データの第２フレームが、データスイッチ手段で交換を行うときに使用される行き先アドレスを示すＤＳアドレスデータ、各回線との接続ポート毎に付されている音声チャンネル番号を示す音声チャンネル番号データ、アダプタインタフェース手段を特定するように付されているメディア番号を示すメディア番号データ、当該第２フレームが音声用データのフレームであることを示す情報で構成される第１端末番号データ、および音声データの圧縮符号化データのブロックからなるボイスデータブロックとを含み、ＬＡＮ用データの第２フレームが、データスイッチ手段で交換を行うときに使用される行き先アドレスを示すＤＳアドレスデータ、メディア番号データ、当該第２フレームがＬＡＮ用データのフレームであることを示す情報で構成される第２端末番号データ、ＬＡＮの端末間を接続するためのＬＡＮ使用ユーザ固有の情報を示すユーザ識別データ、およびＬＡＮ用データのブロックからなるＬＡＮ用データブロックを含むから、ノード内において、音声データまたはＬＡＮ用データの交換を円滑に行うことができる。
【００８２】
また、第２通信網インタフェース手段で、データスイッチ手段から音声用データの第２フレームを受け取ると、該音声用データの第２フレームの第１端末番号データを第２通信網で一時的固有の音声データ毎の識別に使用されるコネクション番号に変換し、該コネクション番号とボイスデータブロックとを含む固定長の音声パケットを生成して所定時間蓄積し、該蓄積した複数の音声パケットをまとめて第１プロトコルデータユニットを作成し、該第１プロトコルデータユニットを分離して音声用データの固定長の第３フレームを作成し、データスイッチ手段からＬＡＮ用データの第２フレームを受け取ると、該ＬＡＮ用データの第２フレームのユーザ識別データとＬＡＮ用データブロックとをまとめて第２プロトコルデータユニットを作成し、該第２プロトコルデータユニットを分離してＬＡＮ用データの固定長の第３フレームを作成し、第２通信網から音声用データの固定長の第３フレームを受け取ると、該音声用データの第３フレームを蓄積し、該蓄積した複数の第３フレームをまとめて第３プロトコルデータユニットを作成し、該第３プロトコルデータユニットからそれぞれの音声パケットを取り出してコネクション番号を第１端末番号データに変換し、音声用データの第２フレームを作成し、第２通信網からＬＡＮ用データの固定長の第３フレームを受け取ると、該ＬＡＮ用データの第３フレームの少なくとも１つから第４プロトコルデータユニットを作成し、該第４プロトコルデータユニットからＬＡＮ用データの第２フレームを作成するから、送信側からの音声データまたはＬＡＮ用データを交換して対応する送信先に伝送する処理を容易に行うことができる。
【００８３】
【発明の効果】
以上説明したように本発明によれば、複数のネットワーク間で多重化された複数種別のデータを交換する場合に、データ種別に応じた交換を行うことで、たとえば、同時に多地点間接続を行うことができるとともに、非リアルタイム性データの伝送と同時にリアルタイム性データをそのリアルタイム性を維持しながら伝送することができるようにすることができる。
【図面の簡単な説明】
【図１】本発明のマルチメディア通信システムの実施の一形態の構成を示すブロック図である。
【図２】図１のマルチメディア通信システムのアダプタの構成を示すブロック図である。
【図３】図１のマルチメディア通信システムのノードの構成を示すブロック図である。
【図４】図１のマルチメディア通信システムのアダプタとノードの間で専用線網を介して転送される第１フレームのフォーマットを示す図である。
【図５】図４の第１フレームのＩＤフォーマットを示す図である。
【図６】図４の第１フレームの音声フレームのフォーマットを示す図である。
【図７】図６の音声フレームのＶＣＢのフォーマットを示す図である。
【図８】図４の第１フレームのＬＤ／ＣＤフレームのフォーマットを示す図である。
【図９】図８のＬＤ／ＣＤフレームのＬＣＢのフォーマットを示す図である。
【図１０】図９のＬＣＢにおける“ＰＲＩ”および“ＳＴＰ”ビットの使用例を示す図である。
【図１１】図１のマルチメディア通信システムにおける第１フレームのデータ構成例を示す図である。
【図１２】図３のノード内のアダプタインタフェース部の構成を示すブロック図である。
【図１３】図３のノード内のデータスイッチ部で交換される音声パケット（第２フレーム）のフォーマットを示す図である。
【図１４】図３のノード内のデータスイッチ部で交換されるＬＡＮ／ＣＤパケット（第２フレーム）のフォーマットを示す図である。
【図１５】音声パケットおよびＬＡＮ／ＣＤパケットに含まれている端末番号のデータ構成を示す図である。
【図１６】図３のノード内のセルリレー網インタフェース部の構成を示すブロック図である。
【図１７】図１６のセルリレー網インタフェース部で組み立てられるＶＤデータフレームのフォーマットを示す図である。
【図１８】図１７のＶＤデータフレームを束ねたＰＤＵのフォーマットを示す図でる。
【図１９】音声用ＡＴＭセルの組立例を示す図である。
【図２０】図１６のセルリレー網インタフェース部で組み立てられるＬＡＮ用データＬＤ／ＣＤフレームのフォーマットを示す図である。
【図２１】図２０のＬＡＮ用データＬＤ／ＣＤフレームを束ねたＰＤＵのフォーマットを示す図である。
【図２２】ＬＡＮ用ＡＴＭセルの組立例を示す図である。
【符号の説明】
１  アダプタ
２  ノード
３  専用線網（第１通信網）
４  セルリレー網（第２通信網）
５  公衆網
１１  電話回線インタフェース部
１２  ＬＡＮインタフェース部
１３、２１２  フレーム組立／分解部
１４  アダプタ制御部
１５  専用線網インタフェース部
１６  電源回路
２１  アダプタインタフェース部
２２  データスイッチ部
２３  セルリレー網インタフェース部
２４  公衆網インタフェース部
２５  制御部
２１１  専用線網インタフェース部
２１３  音声フレーム処理部
２１４  ＬＡＮデータ処理部
２１５  制御データ処理部
２１６、２３１  ＤＳインタフェース部
２１７  ＤＳ制御部
２３２  ＶＤＦ処理部
２３３  ＬＤＦ処理部
２３４  ＣＤＦ処理部
２３５  ＡＴＭ網インタフェース部
２３７  セル制御部
【図１】
0003667012.tif 000002
【図２】
0003667012.tif 000003
【図３】
0003667012.tif 000004
【図４】
0003667012.tif 000005
【図５】
0003667012.tif 000006
【図６】
0003667012.tif 000007
【図７】
0003667012.tif 000008
【図８】
0003667012.tif 000009
【図９】
0003667012.tif 000010
【図１０】
0003667012.tif 000011
【図１１】
0003667012.tif 000012
【図１２】
0003667012.tif 000013
【図１３】
0003667012.tif 000014
【図１４】
0003667012.tif 000015
【図１５】
0003667012.tif 000016
【図１６】
0003667012.tif 000017
【図１７】
0003667012.tif 000018
【図１８】
0003667012.tif 000019
【図１９】
0003667012.tif 000020
【図２０】
0003667012.tif 000021
【図２１】
0003667012.tif 000022
【図２２】
0003667012.tif 000023